(57)【要約】      （修正有）【課題】（１）おむつに排せつされた大便がほとんどお尻に付着せずにすむおむつを提供し、大便の拭き取りのきつい介護の負担を削減し、ゆとりを生み出し、ゆとりを持って親身に介護できるおむつの提供。（２）コストの軽減を図るおむつの提供。【解決手段】排便されたら外部から圧迫されても漏れることのないパックを接着したおむつを着用して、ポータブル便座をリクライニングチェアの座面に置いてポータブル便座の中央に座って排泄する。また、立った状態で排泄しても綺麗に採便できる。おむつの素材が少量ですみ、製造が容易な為、コストが抑えられる。【選択図】図１
2020014820.tif 000002
【特許請求の範囲】
【請求項１】
柔軟性、伸縮性に優れた不透水性の素材のパックＡ（大）と、パックＢ（小）の内、パックＢの開口口より下部を切断し、ＢをＡで内包しＢとＡの開口部を接着して、パックＣを構成する。以上のごとく構成した特徴を有するパックＣ。
【請求項２】
伸縮性と柔軟性にすぐれた素材で図２の形状のおむつパッドをお尻に着用したとき、肛門にあたる位置を中心に排便の為の適当な大きさの穴４を開け、この穴の周囲にパックＣの開口部を接着して、パックＣ付きおむつＤを構成する。以上のごとく構成した特徴を有するおむつＤ。（以下おむつＤと称する）
【発明の詳細な説明】
【技術分野】
【０００１】便取りおむつに関する
【背景技術】
【０００２】便取りおむつは、従来から布おむつが広く一般的に使われてきたが、近年、科学技術の進歩により、良質な紙おむつが生産され、その簡易性、利便性により、広く一般的に使用されるようになってきている。
【先行技術文献】
【特許文献１】特開２００６−３２０５９３号公報
【特許文献２】特開２０１０−１１０３４９号公報
【発明の概要】
【発明が解決しようとする課題】
【０００３】従来のおむつは、排泄した便がパッドにそのまま排便されており、お尻に便がべっとりつき、大変不快である。また、こびり付いた便を拭き取ることは、介護の負担をきつくしている。快適に排便でき、滞留便の不快感を解消し、ワンタッチでお尻の便の拭き取りができ、きつい介護の負担を削減し、ゆとりを持って親身に介護できる低コストのおむつの提供。
（イ）おむつ替え、大便の拭き取りの負担やおむつのコストを削減し、滞留便の不快感をなくし、快適に排泄し、排泄後おむつをそのまま着用していても、快適に活動できるおむつの提供。
（ロ）大便の付着による肛門周りの皮膚の爛れ予防に役立つおむつの提供。
（ハ）寝たきり高齢者の泥便がおむつから流れ出て、背中や衣類を汚すのを防止する。【０００４】近年、高齢者向けに急速に普及しているおむつは、被介護者にとって滞留便が不快であり、介護者にとっては、大便を拭き取る介護に大きな負担がかかり、きつい介護現場となっている。また、大量の使い捨ておむつは、ゴミ処理上の大きな社会問題となっている。滞留便の不快感解消とおむつのコスト軽減に向けて先行発明が上記（特許文献１）（特許文献２）の通りある。
（特許文献１）の発明は、構成難であり、生産効率上不利であり、且つ臀部形状に適合する様々な形状を容易に構成するには難しく、コスト軽減にも課題がある。
（特許文献２）の発明は、製造上の課題と、量産性に向けて改良はなされているが、高齢の被介護者の排便は泥便が多く、これは漏れ出る心配があり安全面から課題がある。さらに、介護の負担を大きくしてしまうという課題がある。【０００５】上記先行本発明の共通課題は、１．滞留便の不快感の解消と２．低コストのおむつの提供といえる。本発明の目的は、上記先行発明の課題を解決し、量産に適したおむつパッドとパックを備えたおむつを提供し、高齢者・老病者の排便をきれいに採便し、滞留便を殆ど残さないで採便できるおむつを提供し、介護の文化の進化を図り、介護文化の革命を目指すことにあり、新たな「香り文化の創造」にも発展できる。【０００６】ワンタッチで滞留便を拭き取り、大便の拭き取りの負担、おむつのコストを削減し、快適に排泄し、排便後もおむつをそのまま着用していても滞留便の不快感がなく、快適に活動できるおむつの提供。また、それにより大便の付着による肛門の周りの皮膚の爛れ予防に役立つおむつを提供し、泥便がおむつから流れ出るのを防止するおむつを提供する。
【課題を解決するための手段】
【０００７】採便したら外部から圧迫されても採便した便が漏れ出ることがない、請求項３のおむつＤの開口口を肛門と４が直結するように着用し、ポータブル便座Ｚの中央にＣを垂らし、便座の中央に着座して排泄することにより、大便は垂直にパックＣの底に落下し、大便が臀部に付着することはほとんどない。【０００８】本発明のおむつは、生産効率がよいので、低コスト化が図れる。【０００９】寝たきりの被介護者が排泄する時に、リクライニングチェアやリクライニングベッドの座面にポータブル便座を置き、その中央にパックＣを垂らして排泄すると楽に排泄できる。【００１０】寝たきりの被介護者がベッドで寝るときは、肛門の周りにジェルシートを粘着し、その上におむつＤを着用して図８の毛布と毛布の谷間にＣを垂らして休む。
【発明の効果】
【００１１】大便がお尻にべったりと付いている不快感をなくせる。【００１２】おむつＤを着用して立って（腰を浮かして）排泄すれば、大便が身体や衣類に付着する心配はない。【００１３】ワンタッチで便の拭き取りができ、大便の拭き取りの手間と労力を大幅に削減できるおむつ。【００１４】高齢者になると、日常生活で大便を失禁してしまうこともある。おむつＤを日常的に着用することで、大便の失禁を心配せずに快適に日常生活が送れる。【００１５】介護の負担を削減し、介護される高齢者も家庭で家族といっしょに会話を楽しみながら日常生活できる。【００１６】きつい介護の大便の拭き取りやおむつ替えの負担が大幅に削減でき、ゆとりを持って親身に介護できるゆとりが生み出せる。【００１７】おむつ替え時の大便の臭いを抑えられるので、同室者にあまり迷惑をかけないでおむつ替えできる。【００１８】ポータブル便座Ｚを使用すれば、ベッドの上や居間の椅子に座って排泄できる。椅子に座ってテレビや新聞をみながら排泄できる。【００１９】家庭内看取り介護がしやすくなる。【００２０】被介護者の家族との会話の機会が増える。【００２１】日常生活において、高齢者がおむつＤを着用していれば、大便を失禁しても、そのまま半日でも１日でも着用したまま活動しても、大便がおしりに付着しないので、衣類を汚す心配がなく、滞留便の不快感を感じずに快適に生活ができる。【００２２】採便採尿の分離ができる。【００２３】材料が少量で済むので、省資源、ゴミの減量に貢献できる。【００２４】おむつ代が安くて済む。【００２５】大災害時の集合避難場所でのトイレの代用に役立つ。【００２６】停電、水道水のストップ等の非常時のトイレ対策の備蓄用になる。【００２７】おむつを着用していれば、下着用のパンツをはく必要はない。【００２８】採便パック付きおむつを着用していても、少し太めのズボンをはけば、おむつを着用していることもあまり目立たないし、ズボンをはいたままで、大便を排泄でき、大便を身体に付着させないで綺麗に排泄できる。【００２９】ワンタッチ採便パックおむつを着用して立った状態で排泄すれば、ズボンをはいても大便は綺麗にパックＣの底に採便され、滞留便は生じず、身体に付着することはない。おむつＤを着用したまま活動しても滞留便の不快感はない。大便はパックＣの底に採便され、身体に大便が付着することはない。【００３０】採便パックおむつＤを着用してポータブルトイレに排泄すれば、大便は採便パックＣに採便され、全く便器に付着しないので、大便を拭き取る必要はなく、何回でも綺麗に清潔にポータブル便座を使用できる。
【図面の簡単な説明】
【００３１】
【図１】本発明の採便パックＣの構成図
【図２】おむつパッドの平面図
【図】椅子にすわっている時に便意を催した時の、本発明の実施形態を示す図。便意を催した時の本発明の実施形態を示す。
【図４】椅子に座っている時の実施形態を示す図。
【図５】本発明の補助用具ポータブル便座Ｚの見取図
【図６】便意を催した時の本発明の実施形態図
【図７】寝たきり被介護者がリクライニングチェア使用時の実施形態を示す図
【図８】本発明の寝たきり被介護人のベッド上での実施形態を示す図。
【図９】特製チェア見取り図
【図１０】椅子などにポータブル便座を置いての本発明の実施形態を示す。
【発明を実施するための形態】
【００３２】図４に基づいて説明する。
椅子に座っている場合は、腰を８ｃｍほど浮か（便意をもよおした時）して排泄する。そのまま立つと排便はパックＣの底に採便され、再び椅子に座っても大便が身体に付着することはない。
【００３３】図５に基づいて説明する。軽量の図５のポータブル便座を準備する。
持ち運びに便利な軽量のポリビニール等の素材の伸縮性、柔軟性に優れた素材で、図５の形状の空気圧ポータブル便座Ｚを作る。
【００３４】図６に基づいて説明する。
便意を催したら、近くのテーブル、いす、壁に手をつき足を少し開き身体を「くの字」形にして排泄すると、パックＣにきれいに排便でき、大便は身体や衣類に付着することなく、綺麗に排便できる。
【００３５】図８に基づいて説明する。
寝たきり被介護者の場合、図８のようにベッド上に２枚の毛布を丸めて谷間を作り、谷間にＣを垂らしてその上に寝る。
【００３６】図７に基づいて説明する。
寝たきり被介護者の場合、リクライニングベッドやリクライニングチェアの座面にポータブル便座Ｚを置いて、Ｚの中央にＣを垂らして、Ｚに座ってゆったり背もたれにもたれて排泄する。
【００３７】図９に基づいて説明する。おむつＤをおしりに着用して、特製チェアの座面の穴にパックＣを垂らして座って、新聞やテレビを観ながら排泄する。
【符号の説明】
【００３８】＋
図１
１    パックＡ
２    パックＢ
７Ｇ  重り
図２
１Ａ  表面マジックテープ
２Ｂ  裏面マジックテープ
３    表裏面マジックテープ
４    排便用の穴
９Ａ  防泥便堤
９Ｂ  防泥便堤
７Ｎ  採尿パッド
図３
５    採便パックＣ
図４
５    採便パックＣ
図５
５    採便パックＣ
８    便座の穴
図６
５    採便パックＣ
図７
５    採便パックＣ
図８
５    採便パックＣ
６Ａ  丸めた毛布
６Ｂ  丸めた毛布
図１０
５    採便パックＣ
７    ポータブル便座
図１３
５    採便パックＣ
【図１】
2020014820.tif 000003
【図２】
2020014820.tif 000004
【図４】
2020014820.tif 000005
【図５】
2020014820.tif 000006
【図６】
2020014820.tif 000007
【図７】
2020014820.tif 000008
【図８】
2020014820.tif 000009
【図９】
2020014820.tif 000010
【図１０】
2020014820.tif 000011
【手続補正書】
【提出日】平成30年12月5日(2018.12.5)
【手続補正１】
【補正対象書類名】明細書
【補正対象項目名】００３１
【補正方法】変更
【補正の内容】
【００３１】
【図１】本発明の採便パックＣの構成図
【図２】おむつパッドの平面図
【図３】立位時便意を催した時に、近くの椅子や手すりにつかまり本発明の実施形態を示す図。
【図４】椅子に座っている時の実施形態を示す図。
【図５】本発明の補助用具ポータブル便座Ｚの見取図。
【図６】寝たきり被介護者がリクライニングチェア使用時の実施形態を示す図。
【図７】本発明の寝たきり被介護人のベッド上での実施形態を示す図。
【図８】特製チェア見取り図。
【図９】椅子などにポータブル便座を置いての本発明の実施形態を示す図。
【手続補正２】
【補正対象書類名】明細書
【補正対象項目名】００３８
【補正方法】変更
【補正の内容】
【００３８】１    パックＡ
２    パックＢ
３Ｇ  重り
４    排便用の穴
５    採尿パッド
５Ｚ  ポータブル（ポータブル便座Ｚ）
６    採便パックＣ
７Ａ  丸めた毛布
８Ａ  表裏面マジックテープ
９    手すり
【手続補正３】
【補正対象書類名】図面
【補正対象項目名】全図
【補正方法】変更
【補正の内容】
【図１】
2020014820.tif 000012
【図２】
2020014820.tif 000013
【図３】
2020014820.tif 000014
【図４】
2020014820.tif 000015
【図５】
2020014820.tif 000016
【図６】
2020014820.tif 000017
【図７】
2020014820.tif 000018
【図８】
2020014820.tif 000019
【図９】
2020014820.tif 000020